(57)【要約】【課題】複数の携帯端末で同一の画像データを表示する。【解決手段】第１携帯電話１１は、ＬＣＤ２４の設定解像度データをデータサーバ１０に送信する。変換部１８は、エクセルデータをＬＣＤ２４で表示可能な第１画像データに変換する。第１画像データは第１携帯電話１１に送信され、ＬＣＤ２４に表示される。親機モードの第１携帯電話１１は、第１画像データを子機モードの第２〜第４携帯電話１２〜１４に送信する。第３，第４携帯電話１３，１４では、第１画像データがＬＣＤ４４，５４に表示される。第２携帯電話１２は、ＬＣＤ３４の設定解像度データと第１画像データの識別番号とを含む変換信号をデータサーバ１０に送信し、検索部１９は、同じ識別番号のエクセルデータを検索する。変換部１８は、検索したエクセルデータを、ＬＣＤ３４で表示可能な第２画像データに変換する。第２画像データは、第２携帯電話１２に送信され、ＬＣＤ３４に表示される。【選択図】図１
2011134104.tif 000002
【特許請求の範囲】
【請求項１】
複数のドキュメントデータを記憶した記憶部、ドキュメントデータを画像データに変換するとともにその解像度を変更する変換部を有するデータサーバと、
第１通信回線により前記データサーバと通信を行うとともに、前記第１通信回線とは異なる第２通信回線により互いに通信を行うように複数設けられた携帯端末であって、各携帯端末を前記データサーバ及び他の携帯端末と通信を行う第１モードと互いに通信を行う第２モードとのどちらかに設定する設定手段、予め決められた設定解像度の画像データを表示する表示器、前記設定解像度データを前記データサーバに送信する解像度送信制御手段を有し、前記変換部で変換された画像データを前記表示器に表示することにより、ドキュメントデータを閲覧できるようにする携帯端末と、を備え、
前記データサーバに、前記第１モードの携帯端末からの要求に応じた所定のドキュメントデータを、前記設定解像度データに基づいて前記変換部により前記第１モードの携帯端末の表示器で表示可能な解像度の第１画像データに変換する変換制御手段と、前記第１画像データを前記第１モードの携帯端末に送信するサーバ送信制御手段とを設け、
前記複数の携帯端末に、前記第１モード設定時に前記第１画像データを前記第２モードの携帯端末に送信する端末送信制御手段を設けたことを特徴とするドキュメント閲覧システム。
【請求項２】
前記複数の携帯端末は、前記第２モード設定時に、前記第１画像データの解像度に基づいて前記第１画像データが前記表示器で表示可能であるか否かを判定する判定手段が設けられ、
前記第２モードの携帯端末は、前記判定手段で表示可能であると判定されたときには前記第１画像データを前記表示器に表示し、前記判定手段で表示不能であると判定されたときには前記データサーバと通信を行って前記データサーバに前記設定解像度データを含む変換信号を送信する第３モードに切り換わり、
前記データサーバは、前記変換信号を受信したときに、前記所定のドキュメントデータを検索する検索手段が設けられ、前記検索手段で検索された所定のドキュメントデータを、前記設定解像度データに基づいて前記変換部により前記第３モードの携帯端末の表示器で表示可能な解像度の第２画像データに変換して、前記第２画像データを前記第３モードの携帯端末に送信することを特徴とする請求項１記載のドキュメント閲覧システム。
【請求項３】
前記データサーバは、前記第１画像データを、画像を識別するための識別番号データとともに画像ファイルとして前記第１モードの携帯端末に送信し、
前記第１モードの携帯端末は、前記画像ファイルを前記第２モードの携帯端末に送信し、
前記第３モードの携帯端末は、前記設定解像度データに加えて前記識別番号データを含む変換信号を前記データサーバに送信し、
前記検索手段は、前記識別番号データに基づいて、前記所定のドキュメントデータを検索することを特徴とする請求項２記載のドキュメント閲覧システム。
【請求項４】
前記複数の携帯端末は、前記設定解像度データを他の携帯端末に送信するとともに、自身の設定解像度が他の携帯端末の設定解像度よりも小さいか否かを判定し、
前記設定手段は、前記判定で小さいと判定されたときには前記第１モードに設定し、前記判定で小さくないと判定されたときには前記第２モードに設定することを特徴とする請求項１ないし３いずれか１つ記載のドキュメント閲覧システム。
【請求項５】
複数のドキュメントデータを記憶した記憶部、ドキュメントデータを画像データに変換するとともにその解像度を変更する変換部を有するデータサーバと、
前記データサーバと同時に通信を行うように複数設けられた携帯端末であって、各携帯端末を前記データサーバと通信を行って前記変換部で変換するドキュメントデータを選択する選択通信モードと、前記データサーバと通信を行うノーマル通信モードとのどちらかに設定する設定手段、予め決められた設定解像度の画像データを表示する表示器、前記設定解像度データを前記データサーバに送信する解像度送信制御手段を有し、前記変換部で変換された画像データを前記表示器に表示することにより、ドキュメントデータを閲覧できるようにする携帯端末と、を備え、
前記データサーバに、前記選択されたドキュメントデータを、前記設定解像度データに基づいて前記変換部により前記選択通信モードの携帯端末の表示器で表示可能な解像度の第１画像データと前記ノーマル通信モードの携帯端末の表示器で表示可能な解像度の第２画像データとに変換する変換制御手段と、前記第１画像データを前記選択通信モードの携帯端末に送信し、前記第２画像データを前記ノーマル通信モードの携帯端末に送信するサーバ送信制御手段とを設けたことを特徴とするドキュメント閲覧システム。
【請求項６】
複数のドキュメントデータを記憶した記憶部、ドキュメントデータを画像データに変換するとともにその解像度を変更する変換部を有するデータサーバと、
第１通信回線により前記データサーバと通信を行うとともに、前記第１通信回線とは異なる第２通信回線により互いに通信を行うように複数設けられた携帯端末であって、予め決められた設定解像度の画像データを表示する表示器を有し、前記変換部で変換された画像データを前記表示器に表示することにより、ドキュメントデータを閲覧できるようにする携帯端末とを備えるドキュメント閲覧システムの制御方法において、
前記複数の携帯端末を、前記第１通信回線により前記データサーバと通信を行うとともに前記第２通信回線により互いに通信を行う第１モードと、前記第２通信回線により互いに通信を行う第２モードとのどちらかに設定する設定ステップと、
前記データサーバに前記表示器の設定解像度データを送信する解像度データ送信ステップと、
前記第１モードの携帯端末からの要求に応じた所定のドキュメントデータを、前記設定解像度データに基づいて前記変換部により前記第１モードの携帯端末の表示器で表示可能な解像度の第１画像データに変換する変換ステップと、
前記データサーバから前記第１モードの携帯端末に前記第１画像データを送信する画像データ送信ステップと、
前記第１モードの携帯端末から前記第２モードの携帯端末に前記第１画像データを送信する端末間送信ステップと、
を有することを特徴とするドキュメント閲覧システムの制御方法。
【請求項７】
複数のドキュメントデータを記憶した記憶部、ドキュメントデータを画像データに変換するとともにその解像度を変更する変換部を有するデータサーバと、
前記データサーバと同時に通信を行うように複数設けられた携帯端末であって、予め決められた設定解像度の画像データを表示する表示器を有し、前記変換部で変換された画像データを前記表示器に表示することにより、ドキュメントデータを閲覧できるようにする携帯端末とを備えるドキュメント閲覧システムの制御方法において、
前記複数の携帯端末を、前記データサーバと通信を行って前記変換部で変換するドキュメントデータを選択する選択通信モードと、前記データサーバと通信を行うノーマル通信モードとのどちらかに設定する設定ステップと、
前記複数の携帯端末から前記データサーバに前記表示器の設定解像度データを送信する解像度データ送信ステップと、
前記選択されたドキュメントデータを、前記設定解像度データに基づいて前記変換部により前記選択通信モードの携帯端末の表示器で表示可能な解像度の第１画像データと前記ノーマル通信モードの携帯端末の表示器で表示可能な解像度の第２画像データとに変換する変換ステップと、
前記データサーバから前記選択通信モードの携帯端末に前記第１画像データを送信するとともに前記ノーマル通信モードの携帯端末に前記第２画像データを送信する画像データ送信ステップと、
を有することを特徴とするドキュメント閲覧システムの制御方法。
【発明の詳細な説明】
【技術分野】
【０００１】
本発明は、ドキュメント閲覧システム及びその制御方法に関するものである。
【背景技術】
【０００２】
近年、インターネットを利用して、データサーバに記憶された画像データを取得する携帯電話やノートパソコン等の携帯端末が普及している。これらの携帯端末は、データサーバから取得した画像データをＬＣＤに表示する。
【０００３】
データサーバには、画像データの他に、Ｍｉｃｒｏｓｏｆｔ  Ｅｘｃｅｌ（登録商標）で作成されたエクセルデータや、Ｍｉｃｒｏｓｏｆｔ  Ｗｏｒｄで作成されたワードデータ等のドキュメントデータが記憶されている。エクセルデータやワードデータをＬＣＤに表示するためには、携帯端末に専用のアプリケーションソフト（以下、「専用ソフト」と称する）をインストールしておく必要がある。ノートパソコンでは、メモリの容量も大きく、専用ソフトがインストールされているものが多いが、携帯電話では、メモリの容量が小さいため、専用ソフトがインストールされていないものが多い。このような携帯電話でエクセルデータやワードデータを表示する場合、データサーバは、エクセルデータやワードデータを携帯電話で表示可能な画像データに変換した後に、携帯電話に送信する。
【０００４】
特許文献１の文書情報配信システムでは、データサーバから携帯端末に画像データを送信するときに、画像データを携帯端末で受信可能なデータサイズに分割した後に送信することにより、受信可能なデータサイズがそれぞれ異なる複数の携帯端末での画像データ受信を可能にしている。
【先行技術文献】
【特許文献】
【０００５】
【特許文献１】特開２００７−２４９３８７号公報
【発明の概要】
【発明が解決しようとする課題】
【０００６】
複数の人間がそれぞれ携帯端末を用いてデータサーバから画像データを取得し、この画像データを表示しながら会議を行うことがある。このような会議では、複数の携帯端末で同一の画像データを表示することが求められる。特許文献１の文書情報配信システムでは、複数の携帯端末は、それぞれ個別にデータサーバと通信を行って画像データを取得するため、複数の携帯端末で異なる画像データを取得することがある。この場合、複数の携帯端末で異なる画像データが表示されるため、会議をスムーズに行うことができない。
【０００７】
本発明は、上記課題を解決するためになされたものであり、複数の携帯端末で同一の画像データを確実に表示することができるようにしたドキュメント閲覧システム及びその制御方法を提供することを目的とする。
【課題を解決するための手段】
【０００８】
上記目的を達成するために、本発明のドキュメント閲覧システムは、複数のドキュメントデータを記憶した記憶部、ドキュメントデータを画像データに変換するとともにその解像度を変更する変換部を有するデータサーバと、第１通信回線により前記データサーバと通信を行うとともに、前記第１通信回線とは異なる第２通信回線により互いに通信を行うように複数設けられた携帯端末であって、各携帯端末を前記データサーバ及び他の携帯端末と通信を行う第１モードと互いに通信を行う第２モードとのどちらかに設定する設定手段、予め決められた設定解像度の画像データを表示する表示器、前記設定解像度データを前記データサーバに送信する解像度送信制御手段を有し、前記変換部で変換された画像データを前記表示器に表示することにより、ドキュメントデータを閲覧できるようにする携帯端末と、を備え、前記データサーバに、前記第１モードの携帯端末からの要求に応じた所定のドキュメントデータを、前記設定解像度データに基づいて前記変換部により前記第１モードの携帯端末の表示器で表示可能な解像度の第１画像データに変換する変換制御手段と、前記第１画像データを前記第１モードの携帯端末に送信するサーバ送信制御手段とを設け、前記複数の携帯端末に、前記第１モード設定時に前記第１画像データを前記第２モードの携帯端末に送信する端末送信制御手段を設けたことを特徴とする。
【０００９】
なお、前記携帯端末としては、携帯電話、ノートパソコン、ＰＤＡ（Ｐｅｒｓｏｎａｌ  Ｄｉｇｉｔａｌ  Ａｓｓｉｓｔａｎｔ）等が挙げられる。また、前記ドキュメントデータとしては、エクセルデータ、ワードデータ、ＰＤＦ（Ｐｏｒｔａｂｌｅ  Ｄｏｃｕｍｅｎｔ  Ｆｏｒｍａｔ）データ、Ｍｉｃｒｏｓｏｆｔ社のＰｏｗｅｒＰｏｉｎｔで保存されたＰＰＴデータ等が挙げられる。さらに、前記第１通信回線は、インターネットを介して通信を行う通信回線であることが好ましく、前記第２通信回線は、通信コストが掛からない短距離無線回線であることが好ましい。
【００１０】
また、前記複数の携帯端末は、前記第２モード設定時に、前記第１画像データの解像度に基づいて前記第１画像データが前記表示器で表示可能であるか否かを判定する判定手段が設けられ、前記第２モードの携帯端末は、前記判定手段で表示可能であると判定されたときには前記第１画像データを前記表示器に表示し、前記判定手段で表示不能であると判定されたときには前記データサーバと通信を行って前記データサーバに前記設定解像度データを含む変換信号を送信する第３モードに切り換わり、前記データサーバは、前記変換信号を受信したときに、前記所定のドキュメントデータを検索する検索手段が設けられ、前記検索手段で検索された所定のドキュメントデータを、前記設定解像度データに基づいて前記変換部により前記第３モードの携帯端末の表示器で表示可能な解像度の第２画像データに変換して、前記第２画像データを前記第３モードの携帯端末に送信することが好ましい。
【００１１】
さらに、前記データサーバは、前記第１画像データを、画像を識別するための識別番号データとともに画像ファイルとして前記第１モードの携帯端末に送信し、前記第１モードの携帯端末は、前記画像ファイルを前記第２モードの携帯端末に送信し、前記第３モードの携帯端末は、前記設定解像度データに加えて前記識別番号データを含む変換信号を前記データサーバに送信し、前記検索手段は、前記識別番号データに基づいて、前記所定のドキュメントデータを検索することが好ましい。
【００１２】
また、前記複数の携帯端末は、前記設定解像度データを他の携帯端末に送信するとともに、自身の設定解像度が他の携帯端末の設定解像度よりも小さいか否かを判定し、前記設定手段は、前記判定で小さいと判定されたときには前記第１モードに設定し、前記判定で小さくないと判定されたときには前記第２モードに設定することが好ましい。
【００１３】
さらに、本発明のドキュメント閲覧システムは、複数のドキュメントデータを記憶した記憶部、ドキュメントデータを画像データに変換するとともにその解像度を変更する変換部を有するデータサーバと、前記データサーバと同時に通信を行うように複数設けられた携帯端末であって、各携帯端末を前記データサーバと通信を行って前記変換部で変換するドキュメントデータを選択する選択通信モードと、前記データサーバと通信を行うノーマル通信モードとのどちらかに設定する設定手段、予め決められた設定解像度の画像データを表示する表示器、前記設定解像度データを前記データサーバに送信する解像度送信制御手段を有し、前記変換部で変換された画像データを前記表示器に表示することにより、ドキュメントデータを閲覧できるようにする携帯端末と、を備え、前記データサーバに、前記選択されたドキュメントデータを、前記設定解像度データに基づいて前記変換部により前記選択通信モードの携帯端末の表示器で表示可能な解像度の第１画像データと前記ノーマル通信モードの携帯端末の表示器で表示可能な解像度の第２画像データとに変換する変換制御手段と、前記第１画像データを前記選択通信モードの携帯端末に送信し、前記第２画像データを前記ノーマル通信モードの携帯端末に送信するサーバ送信制御手段とを設けたことを特徴とする。
【００１４】
また、本発明のドキュメント閲覧システムの制御方法は、複数のドキュメントデータを記憶した記憶部、ドキュメントデータを画像データに変換するとともにその解像度を変更する変換部を有するデータサーバと、第１通信回線により前記データサーバと通信を行うとともに、前記第１通信回線とは異なる第２通信回線により互いに通信を行うように複数設けられた携帯端末であって、予め決められた設定解像度の画像データを表示する表示器を有し、前記変換部で変換された画像データを前記表示器に表示することにより、ドキュメントデータを閲覧できるようにする携帯端末とを備えるドキュメント閲覧システムの制御方法において、前記複数の携帯端末を、前記第１通信回線により前記データサーバと通信を行うとともに前記第２通信回線により互いに通信を行う第１モードと、前記第２通信回線により互いに通信を行う第２モードとのどちらかに設定する設定ステップと、前記データサーバに前記表示器の設定解像度データを送信する解像度データ送信ステップと、前記第１モードの携帯端末からの要求に応じた所定のドキュメントデータを、前記設定解像度データに基づいて前記変換部により前記第１モードの携帯端末の表示器で表示可能な解像度の第１画像データに変換する変換ステップと、前記データサーバから前記第１モードの携帯端末に前記第１画像データを送信する画像データ送信ステップと、前記第１モードの携帯端末から前記第２モードの携帯端末に前記第１画像データを送信する端末間送信ステップと、を有することを特徴とする。
【００１５】
さらに、本発明のドキュメント閲覧システムの制御方法は、複数のドキュメントデータを記憶した記憶部、ドキュメントデータを画像データに変換するとともにその解像度を変更する変換部を有するデータサーバと、前記データサーバと同時に通信を行うように複数設けられた携帯端末であって、予め決められた設定解像度の画像データを表示する表示器を有し、前記変換部で変換された画像データを前記表示器に表示することにより、ドキュメントデータを閲覧できるようにする携帯端末とを備えるドキュメント閲覧システムの制御方法において、前記複数の携帯端末を、前記データサーバと通信を行って前記変換部で変換するドキュメントデータを選択する選択通信モードと、前記データサーバと通信を行うノーマル通信モードとのどちらかに設定する設定ステップと、前記複数の携帯端末から前記データサーバに前記表示器の設定解像度データを送信する解像度データ送信ステップと、前記選択されたドキュメントデータを、前記設定解像度データに基づいて前記変換部により前記選択通信モードの携帯端末の表示器で表示可能な解像度の第１画像データと前記ノーマル通信モードの携帯端末の表示器で表示可能な解像度の第２画像データとに変換する変換ステップと、前記データサーバから前記選択通信モードの携帯端末に前記第１画像データを送信するとともに前記ノーマル通信モードの携帯端末に前記第２画像データを送信する画像データ送信ステップと、を有することを特徴とする。
【発明の効果】
【００１６】
本発明によれば、複数の携帯端末のうちのデータサーバと通信を行う第１モードの携帯端末は、データサーバから取得した第１画像データを、互いに通信を行う第２モードの携帯端末に送信するから、複数の携帯端末で同一の画像データを表示することができる。また、第２モードの携帯端末は、データサーバと通信しないから、データサーバとの通信時に通信コストが掛かる場合に、その通信コストを抑制することができる。
【００１７】
さらに、データサーバは、第１モードの携帯端末の表示器で表示可能な解像度に変換した第１画像データを送信するから、第１の携帯端末で画像データを確実に表示することができる。
【００１８】
さらに、第２モードの携帯端末で第１画像データが表示不能であるときには、その第２モードの携帯端末は、データサーバと通信を行い、第１画像データと同一の画像で、且つ表示器で表示可能な第２画像データを取得するから、複数の携帯端末で同一の画像を確実に表示することができる。
【図面の簡単な説明】
【００１９】
【図１】ドキュメント閲覧システムを示す説明図である。
【図２】第１〜第４携帯電話の電気的構成を示すブロック図である。
【図３】画像ファイルを示す説明図である。
【図４】第１携帯電話でドキュメント画像データを表示した状態のＬＣＤを示す正面図である。
【図５】第４携帯電話でドキュメント画像データを表示した状態のＬＣＤを示す正面図である。
【図６】通信選択画面を表示した状態のＬＣＤを示す正面図である。
【図７】連携選択画面を表示した状態のＬＣＤを示す正面図である。
【図８】親機／子機設定画面を表示した状態のＬＣＤを示す正面図である。親
【図９】親機モードの処理の流れを示すフローチャートである。
【図１０】子機モードの処理の流れを示すフローチャートである。
【図１１】親機／子機を強制的に設定する実施形態のドキュメント閲覧システムを示す説明図である。
【図１２】図１１に示す実施形態の親機及び子機の処理の流れを示すフローチャートである。
【図１３】第１〜第４携帯電話が全てデータサーバと通信を行う実施形態のドキュメント閲覧システムを示す説明図である。
【図１４】図１３に示す実施形態の親機モードの処理の流れを示すフローチャートである。
【図１５】子機モードの処理の流れを示すフローチャートである。
【発明を実施するための形態】
【００２０】
［第１実施形態］
図１及び図２に示すように、ドキュメント閲覧システム２は、データサーバ１０、第１携帯電話１１、第２携帯電話１２、第３携帯電話１３、第４携帯電話１４から構成されている。各携帯電話１１〜１４は、インターネット１５を介してデータサーバ１０と通信可能となっている。
【００２１】
データサーバ１０は、インターネット１５を介して各携帯電話１１〜１４と通信を行うためのネット通信部１６と、エクセルデータやワードデータ等の複数のドキュメントデータを記憶したメモリ１７と、ドキュメントデータの形式（種別、解像度）を変換する変換部１８とが設けられている。複数のドキュメントデータは、それぞれ異なる識別番号が付与されている。
【００２２】
データサーバ１０は、メモリ１７内の複数のドキュメントデータの中から所望する１つを検索する検索部１９と、変換部１８で変換されたデータを周知のＪＰＥＧ形式で圧縮する圧縮部２０とが設けられている。
【００２３】
第１携帯電話１１は、電源ボタン２１、複数の入力ボタン２２、各種設定、選択及び決定を行うメニューキー２３、ＬＣＤ２４が設けられている。また、第１携帯電話１１は、インターネット１５を介してデータサーバ１０と通信を行うためのネット通信部２５、第１携帯電話１１を制御するためのＣＰＵ２６、メモリ２７、他の携帯電話（第２〜第４携帯電話１２〜１４）と周知のＢｌｕｅｔｏｏｔｈ規格方式で通信を行うための短距離通信部２８、伸長部２９が設けられている。
【００２４】
第２携帯電話１２は、第１携帯電話１１と同様に、電源ボタン３１、入力ボタン３２、メニューキー３３、ＬＣＤ３４、ネット通信部３５、ＣＰＵ３６、メモリ３７、短距離通信部３８、伸長部３９が設けられている。同様に、第３，第４携帯電話１３，１４は、電源ボタン４１，５１、入力ボタン４２，５２、メニューキー４３，５３、ＬＣＤ４４，５４、ネット通信部４５，５５、ＣＰＵ４６，５６、メモリ４７，５７、短距離通信部４８，５８、伸長部４９，５９が設けられている。
【００２５】
第１携帯電話１１のＬＣＤ２４は、２４０×４００ドット表示可能であり、第２携帯電話１２のＬＣＤ３４は、２４０×３２０ドット表示可能である。第３携帯電話１３のＬＣＤ４４は、２４０×４００ドット表示可能であり、第４携帯電話１４のＬＣＤ５４は、４８０×８５４ドット表示可能である。ＬＣＤ２４の設定解像度（ドット数）データは、メモリ２７に記憶されている。同様に、各ＬＣＤ３４，４４，５４の設定解像度データは、各メモリ３７，４７，５７に記憶されている。
【００２６】
各携帯電話１１〜１４は、固定電話や他の携帯電話と通話を行う通話モードと、データサーバ１０と通信を行うインターネットモード、データサーバ１０及び他の携帯電話と通信可能なモバイルネットモードとが設けられている。また、モバイルネットモードは、データサーバ１０及び他の携帯電話と通信を行う親機モードと、他の携帯電話と通信を行う子機モードとが設けられている。通常時には、各携帯電話１１〜１４は通話モードとなっている。以下では、第１携帯電話１１を例に説明を行うが、第２〜第４携帯電話１２〜１４も、第１携帯電話１１と同様の制御が行われる。
【００２７】
メモリ２７には、複数の電話番号が記憶されており、通話モード時に、メニューキー２３を操作してメモリ２７に記憶された電話番号を読み出すか、入力ボタン２２を操作して電話番号を入力すると、ネット通信部２５を介して携帯電話会社の基地局と無線通信が行われる。そして、第１携帯電話１１内部に配されたマイク及びスピーカ（図示せず）を介して、固定電話や他の携帯電話との通話が行われる。
【００２８】
メニューキー２３を操作してインターネットモードに移行させると、第１携帯電話１１は、インターネット１５を介してデータサーバ１０に接続される。インターネットモードでは、ＣＰＵ２６は、ＬＣＤ２４の設定解像度データを、データサーバ１０に送信する。メニューキー２３を操作して、データサーバ１０のメモリ１７内のドキュメントデータの中から閲覧するドキュメントデータ（例えば、エクセルデータ）を１つ選択すると、変換部１８は、ＬＣＤ２４の設定解像度データに基づいて、選択されたエクセルデータをＬＣＤ２４で表示可能な形式（ドット数＝２４０×４００の画像データ）の第１画像データに変換する。
【００２９】
図３に示すように、圧縮部２０で第１画像データを周知のＪＰＥＧ形式で圧縮すると、第１画像ファイルが作成される。この第１画像ファイルは、ヘッダ領域と画像領域とに大別される。ヘッダ領域には、画像の種類、データ量、識別番号、解像度、圧縮方式等の各データが記録される。画像領域は、圧縮された第１画像データから構成される。
【００３０】
第１画像ファイルは、ネット通信部１６、インターネット１５を介して第１携帯電話１１に送信され、ネット通信部２５で受信される。第１携帯電話１１の伸長部２９は、受信した第１画像ファイル内の第１画像データを伸長する。図４に示すように、伸長された第１画像データは、ＬＣＤ２４に表示される。
【００３１】
ドット数＝２４０×４００の第１画像データを、ドット数＝４８０×８５４のＬＣＤ５４に表示すると、図５に示すように、画面中央部分を中心に縮小された状態で表示される。
【００３２】
図６に示すように、メニューキー２３を操作して、メモリ２７にインストールされたモバイルネットビューアを起動させると、ＬＣＤ２４にデータサーバ１０に接続するか否かを選択する接続選択画面６０が表示される。この接続選択画面６０は、「データサーバに接続しますか？」という接続選択画像６１と、接続するための「ＹＥＳ」という接続画像６２と、接続しないための「ＮＯ」という非接続画像６３とが表示される。
【００３３】
メニューキー２３を操作して接続画像６２を選択すると、第１携帯電話１１は、インターネット１５を介してデータサーバ１０に接続され、ＣＰＵ２６は、ＬＣＤ２４の設定解像度データを、データサーバ１０に送信する。インターネットモードと同様に、メニューキー２３を操作して、データサーバ１０内のドキュメントデータの中から閲覧するドキュメントデータ（エクセルデータ）を１つ選択すると、選択されたエクセルデータが第１画像データに変換され、この第１画像データがＬＣＤ２４に表示される。
【００３４】
モバイルネットビューアが起動された状態で第１画像データがＬＣＤ２４に表示される、または、接続選択画面６０上で非接続画像６３を選択すると、モバイルネットモードに移行する。モバイルネットモードに移行すると、図７に示すように、メモリ２７にインストールされた連携ビューアが起動され、ＬＣＤ２４に他の携帯電話（第２〜第４携帯電話１２〜１４）と連携するか否かを選択する連携選択画面７０が表示される。この連携選択画面７０は、モバイルネットモードに移行したことを示す「モバイルネットモード」というモード移行画像７１と、第２〜第４携帯電話１２〜１４と連携するための「連携」という連携画像７２と、モバイルネットモードを終了させるための「終了」という終了画像７３とが表示される。なお、モバイルネットビューア及び連携ビューアは、各メモリ３７，４７，５７にもインストールされている。
【００３５】
メニューキー２３を操作して連携画像７２を選択すると、図８に示すように、ＬＣＤ２４に親機／子機設定画面８０が表示される。この親機／子機設定画面８０は、「親機／子機選択」というタイトル画像８１と、親機モードと子機モードのどちらかを設定するための設定画像８２と、連携を実行させるための「起動」という起動画像８３とが表示される。本実施形態では、第１携帯電話１１を親機モードに設定し、第２〜第４携帯電話１２〜１４を子機モードに設定する。
【００３６】
メニューキー２３を操作して設定画像８２の右端の矢印を選択することにより、設定画像８２は、図８（Ａ）に示す「親機」という画像と、図８（Ｂ）に示す「子機」という画像とに切り換わる。
【００３７】
設定画像８２を「親機」とした状態で、メニューキー２３を操作して起動画像８３を選択すると、ＣＰＵ２６は、第１携帯電話１１を、データサーバ１０及び第２〜第４携帯電話１２〜１４と通信を行う親機モードに設定する。これに応じて、ＣＰＵ２６は、第１画像データをＬＣＤ２４に表示するとともに、第１画像ファイルを、短距離通信部２８から第２〜第４携帯電話１２〜１４に向けて送信する。
【００３８】
第１携帯電話１１と同様に、第２〜第４携帯電話１２〜１４でも、モバイルネットビューアを起動させ、接続選択画面６０上で非接続画像６３を選択すると、モバイルネットモードに移行し、連携選択画面７０が表示される。連携選択画面７０上で連携画像７２を選択すると、各ＬＣＤ３４，４４，５４に親機／子機設定画面８０が表示される。
【００３９】
設定画像８２を「子機」とした状態で、起動画像８３を選択すると、各ＣＰＵ３６，４６，５６は、第２〜第４携帯電話１２〜１４を、他の携帯電話と互いに通信を行う子機モードに設定する。２〜第４携帯電話１２〜１４は、第１携帯電話１１から送信された第１画像ファイルを、各短距離通信部３８，４８，５８で受信する。
【００４０】
子機モードに設定された第２〜第４携帯電話１２〜１４の各ＣＰＵ３６，４６，５６は、受信した第１画像ファイル内の設定解像度データと、各メモリ３７，４７，５７に記憶された設定解像度データとを比較して、第１画像データが各ＬＣＤ３４，４４，５４に表示可能であるか否か（ＬＣＤのドット数≧第１画像データのドット数であるか否か）を判定する。各ＣＰＵ４６，５６では、表示可能であると判定される。この場合、受信した第１画像データを各ＬＣＤ４４，５４に表示する。
【００４１】
ＣＰＵ３６では、上記判定で表示不能であると判定される。この場合、第２携帯電話１２は、データサーバ１０にインターネット１５を介して接続し、ＬＣＤ３４の設定解像度データと第１画像ファイル内の識別番号データとを含む変換信号をデータサーバ１０に送信する子機ネットモードに切り換わる。
【００４２】
データサーバ１０の検索部１９は、ネット通信部１６で変換信号を受信したことに応答して、変換信号内の識別番号データに基づいて、メモリ１７内のドキュメントデータの中から、同じ識別番号のドキュメントデータを検索する。
【００４３】
変換部１８は、検索したドキュメントデータを、ＬＣＤ３４で表示可能な形式の第２画像データに変換する。この第２画像データは、圧縮部２０で圧縮されて、第２画像ファイルが作成される。この第２画像ファイルは、第２携帯電話１２に送信される。第２画像ファイル内の第２画像データは、伸長部３９で伸長された後に、ＬＣＤ３４に表示され、第２携帯電話１２は、子機モードに切り換わる。なお、上記判定で表示不能であると判定された携帯電話が複数ある場合、それらの携帯電話全てで第２携帯電話１２と同様の制御が行われる。
【００４４】
次に、上記第１実施形態の作用について、図９及び図１０のフローチャートを用いて説明を行う。先ず、親機モードに設定する第１携帯電話１１及びデータサーバ１０の作用について説明を行う。図９に示すように、第１携帯電話１１の電源をオンした後、メニューキー２３を操作してモバイルネットビューアを起動させる（ステップ（以下、Ｓ）１）と、ＬＣＤ２４に接続選択画面６０が表示される。
【００４５】
メニューキー２３を操作して接続選択画面６０上で接続画像６２を選択すると（Ｓ２）、第１携帯電話１１は、インターネット１５を介してデータサーバ１０に接続され（Ｓ３）、ＣＰＵ２６は、ＬＣＤ２４の設定解像度データを、データサーバ１０に送信する。メニューキー２３を操作して、閲覧するドキュメントデータ（例えば、エクセルデータ）を選択すると（Ｓ４でＹ）、変換部１８は、その選択したエクセルデータを、ＬＣＤ２４で表示可能な形式（ドット数＝２４０×４００の画像データ）の第１画像データに変換する（Ｓ５）。
【００４６】
第１画像データは、圧縮部２０で圧縮されて、第１画像データ、識別番号データ及び設定解像度データ等を含む第１画像ファイルが作成される。この第１画像ファイルは、第１携帯電話１１に送信され、第１画像ファイル内の第１画像データは、伸長部２９で伸長された後、ＬＣＤ２４に表示される（Ｓ６）。
【００４７】
第１画像データがＬＣＤ２４に表示されると、モバイルネットモードに移行する（Ｓ７）。モバイルネットモードに移行すると、連携ビューアが起動され、ＬＣＤ２４に連携選択画面７０が表示される（Ｓ８）。メニューキー２３を操作して連携画像７２を選択すると（Ｓ９）、ＬＣＤ２４に親機／子機設定画面８０が表示される（Ｓ１０）。設定画像８２で「親機」が選択され（Ｓ１１）、起動画像８３が選択されると（Ｓ１２）、ＣＰＵ２６は、第１携帯電話１１を親機モードに設定し（Ｓ１３）、子機モードとなる第２〜第４携帯電話１２〜１４と連携される。そして、ＣＰＵ２６は、第１画像データＬＣＤ２４に表示するとともに、データサーバ１０から取得した第１画像ファイルを、短距離通信部２８から第２〜第４携帯電話１２〜１４に送信する（Ｓ１４）。モバイルネットモードを終了しないとき（Ｓ１４でＮ）には、再度（Ｓ４）以降が行われる。
【００４８】
次に、子機モードに設定する第２〜第４携帯電話１２〜１４及びデータサーバ１０の作用について説明を行う。図１０に示すように、第２〜第４携帯電話１２〜１４は、メニューキー３３，４３，５３を操作してモバイルネットビューアを起動させ（Ｓ２１）、接続選択画面６０上で非接続画像６３を選択すると（Ｓ２２）、モバイルネットモードに移行する（Ｓ２３）。
【００４９】
モバイルネットモードに移行すると、連携ビューアが起動されて連携選択画面７０が表示される（Ｓ２４）。連携選択画面７０上で連携画像７２を選択すると（Ｓ２５）、ＬＣＤ３４，４４，５４に親機／子機設定画面８０が表示される（Ｓ２６）。設定画像８２で「子機」が選択され（Ｓ２７）、起動画像８３が選択されると（Ｓ２８）、各ＣＰＵ３６，４６，５６は、２〜第４携帯電話１２〜１４を子機モードに設定し（Ｓ２９）、親機モードの第１携帯電話１１と連携される。
【００５０】
第１携帯電話１１から送信された第１画像ファイルが、各短距離通信部３８，４８，５８で受信されると（Ｓ３０）、各ＣＰＵ３６，４６，５６は、受信した第１画像ファイル内の解像度データと、各メモリ３７，４７，５７に記憶された設定解像度データとを比較して、第１画像データがＬＣＤ３４，４４，５４に表示可能であるか否か（ＬＣＤのドット数≧第１画像データのドット数であるか否か）を判定する（Ｓ３１）。第３，第４携帯電話１３，１４のＣＰＵ４６，５６では、表示可能であると判定される（Ｓ３１でＹ）。この場合、第１画像データは、伸長部４９，５９で伸長された後、ＬＣＤ４４，５４に表示される（Ｓ３２）。これにより、第３，第４携帯電話１３，１４では、データサーバ１０と通信を行うことなく第１画像データが表示されるから、通信コストが抑制される。なお、（Ｓ３１）での判定結果は、各メモリ３７，４７，５７に記憶される。
【００５１】
また、ＬＣＤ５４は、ドット数＝４８０×８５４であるのに対して、受信した第１画像データは、２４０×４００ドットの画像データであるため、図５に示すように、ＬＣＤ５４では、第１画像データが画面中央部分を中心に縮小された状態で表示される。
【００５２】
一方、第２携帯電話１２のＣＰＵ３６では、表示不能であると判定される（Ｓ３１でＮ）。この場合、第２携帯電話１２は、子機ネットモードに切り換わり、データサーバ１０にインターネット１５を介して接続し、ＬＣＤ３４の設定解像度データと第１画像ファイル内の識別番号データとを含む変換信号をデータサーバ１０に送信する（Ｓ３３）。
【００５３】
データサーバ１０の検索部１９は、ネット通信部２５で変換信号を受信したことに応答して、変換信号内の識別番号データに基づいて、メモリ１７内のドキュメントデータの中から、同じ識別番号のドキュメントデータを検索する（Ｓ３４）。変換部１８は、その検索したドキュメントデータ（エクセルデータ）を、ＬＣＤ３４で表示可能な形式（ドット数＝２４０×３２０の画像データ）の第２画像データに変換する（Ｓ３５）。
【００５４】
第２画像データは、圧縮部２０で圧縮されて、第２画像データ、識別番号データ及び設定解像度データ等を含む第２画像ファイルが作成される。この第２画像ファイルは、第２携帯電話１２に送信される。第２画像ファイル内の第２画像データは、伸長部３９で伸長された後、ＬＣＤ３４に表示され（Ｓ３６）、第２携帯電話１２は、子機モードに切り換わる（Ｓ３７）。これにより、第１〜第４携帯電話１１〜１４には、同一の画像が表示される。
【００５５】
モバイルネットモードを終了せず（Ｓ３８でＮ）、親機モードの第１携帯電話１１で表示する画像の切り換えが行われたとき（Ｓ３９でＹ）には、再度（Ｓ３０）以降が行われる。
【００５６】
なお、親機モードの第１携帯電話１１で表示する画像の切り換えが行われ、第１携帯電話１１から新たな画像ファイルが送信された場合、子機モードの第２〜第４携帯電話１２〜１４では、新たな画像ファイルを受信した（Ｓ３０）後、前回の判定結果を参照して表示不能であるか否かを判定する（Ｓ３１）。これにより、受信した新たな画像ファイル内の解像度データと、各メモリ３７，４７，５７に記憶された設定解像度データとを比較して、表示可能であるか否かを判定する工程が省かれる。
【００５７】
［第２実施形態］
図１１及び図１２に示す第２実施形態のドキュメント閲覧システム１０２は、第１〜第４携帯電話１１〜１４のうち、設定解像度が最も小さいＬＣＤを有するものを親機モードに設定し、その他を子機モードに設定する。なお、第１実施形態のものと同様の構成部材には同一の符号を付し、その詳細な説明を省略する。
【００５８】
第１〜第４携帯電話１１〜１４は、モバイルネットビューアを起動させ、接続選択画面６０上で非接続画像６３を選択すると、モバイルネットモードに移行し、連携選択画面７０が表示される。連携選択画面７０上で連携画像７２を選択すると、第１〜第４携帯電話１１〜１４は、各短距離通信部２８，３８，４８，５８によって連携される。
【００５９】
第１携帯電話１１は、第２〜第４携帯電話１２〜１４と連携されると、メモリ２７に記憶された設定解像度データを、短距離通信部２８から他の携帯電話（第２〜第４携帯電話１２〜１４）に送信する。同様に、第２〜第４携帯電話１２〜１４も、各メモリ３７，４７，５７に記憶された設定解像度データを、各短距離通信部３８，４８，５８から他の携帯電話に送信する。
【００６０】
第１携帯電話１１のＣＰＵ２６は、第２〜第４携帯電話１２〜１４から送信された設定解像度データを受信すると、メモリ２７に記憶された設定解像度データが、受信した設定解像度データよりも小さいか否か（表示可能なドット数が最も小さいか否か）を判定する。ＣＰＵ２６は、メモリ２７に記憶された設定解像度データが最小であると判定した場合には、第１携帯電話１１を親機モードに設定し、メモリ２７に記憶された設定解像度データが最小ではないと判定した場合には、第１携帯電話１１を子機モードに設定する。同様に、第２〜第４携帯電話１２〜１４のＣＰＵ３６，４６，５６は、各メモリ３７，４７，５７に記憶された設定解像度データが、受信した設定解像度データよりも小さいか否かを判定し、その判定結果に基づいて、第２〜第４携帯電話１２〜１４を親機モードまたは子機モードに設定する。本実施形態では、２携帯電話１２が親機モードに設定され、第１，第３，第４携帯電話１１，１３，１４が子機モードに設定される。なお、複数の携帯電話の設定解像度データが全て同じであるときには、複数の携帯電話の中の任意の１つが親機モードに設定され、その他は子機モードに設定される。
【００６１】
第２携帯電話１２は、親機モードに設定されると、データサーバ１０にインターネット１５を介して接続され、ＣＰＵ３６は、ＬＣＤ３４の設定解像度データを、データサーバ１０に送信する。メニューキー３３を操作して、データサーバ１０のメモリ１７内のドキュメントデータの中から閲覧するドキュメントデータ（例えば、エクセルデータ）を選択すると、変換部１８は、ＬＣＤ３４の設定解像度データに基づいて、選択されたエクセルデータをＬＣＤ３４で表示可能な形式（ドット数＝２４０×３２０の画像データ）の第１０画像データに変換する。
【００６２】
第１０画像データは、圧縮部２０で圧縮されて第１０画像ファイルが作成される。この第１０画像ファイルは、ネット通信部１６、インターネット１５を介して第２携帯電話１２に送信され、ネット通信部３５で受信される。第１０画像ファイル内の第１０画像データは、伸長部３９で伸長された後に、ＬＣＤ３４に表示される。ＣＰＵ３６は、第１０画像ファイルを、短距離通信部３８から第１，第３，第４携帯電話１１，１３，１４に送信する。
【００６３】
第２携帯電話１２から送信された第１０画像ファイルが、各短距離通信部２８，４８，５８で受信されると、第１０画像データは、伸長部２９，４９，５９で伸長された後、ＬＣＤ２４，４４，５４に表示される。
【００６４】
次に、上記第２実施形態の作用について、図１２のフローチャートを用いて説明を行う。図１２に示すように、第１〜第４携帯電話１１〜１４は、電源をオンした後、メニューキー２３，３３，４３，５３を操作してモバイルネットビューアを起動させ（Ｓ１０１）、接続選択画面６０上で非接続画像６３を選択すると（Ｓ１０２）、モバイルネットモードに移行する（Ｓ１０３）。モバイルネットモードに移行すると、連携ビューアが起動され、ＬＣＤ２４，３４，４４，５４に連携選択画面７０が表示される（Ｓ１０４）。連携画像７２を選択すると（Ｓ１０５）、第１〜第４携帯電話１１〜１４は、各短距離通信部２８，３８，４８，５８によって連携される（Ｓ１０６）。
【００６５】
第１〜第４携帯電話１１〜１４は、他の携帯電話と連携されると、各メモリ２７，３７，４７，５７に記憶された設定解像度データを、他の携帯電話に送信する（Ｓ１０７）。各ＣＰＵ２６，３６，４６，５６は、他の携帯電話から送信された設定解像度データを受信すると、各メモリ２７，３７，４７，５７に記憶された設定解像度データが、受信した設定解像度データよりも小さいか否かを判定する（Ｓ１０８）。各ＣＰＵ２６，３６，４６，５６は、記憶された設定解像度データが最小である場合（Ｓ１０８でＹ）には、自身を親機モードに設定し（Ｓ１０９）、記憶された設定解像度データが最小ではない場合（Ｓ１０９でＮ）には、自身を子機モードに設定する（Ｓ１１０）。
【００６６】
親機モードの第２携帯電話１２は、データサーバ１０にインターネット１５を介して接続され（Ｓ１１１）、ＣＰＵ３６は、ＬＣＤ３４の設定解像度データを、データサーバ１０に送信する。メニューキー３３を操作して、データサーバ１０のメモリ１７内のドキュメントデータの中から閲覧するドキュメントデータ（例えば、エクセルデータ）を選択すると（Ｓ１１２でＹ）、変換部１８は、ＬＣＤ３４の設定解像度データに基づいて、選択されたエクセルデータをＬＣＤ３４で表示可能な形式（ドット数＝２４０×３２０の画像データ）の第１０画像データに変換する（Ｓ１１３）。
【００６７】
第１０画像データは、圧縮部２０で圧縮されて、第１０画像データ、識別番号データ及び設定解像度データ等を含む第１０画像ファイルが作成される。この第１０画像ファイルは、第２携帯電話１２に送信され、第１０画像ファイル内の第１０画像データは、伸長部３９で伸長された後に、ＬＣＤ３４に表示される（Ｓ１１４）。
【００６８】
ＣＰＵ３６は、第１０画像ファイルを、短距離通信部３８から子機モードの第１，第３，第４携帯電話１１，１３，１４に送信する（Ｓ１１５）。第２携帯電話１２から送信された第１０画像ファイルが、各短距離通信部２８，４８，５８で受信されると、第１０画像データは、伸長部２９，４９，５９で伸長された後、ＬＣＤ２４，４４，５４に表示される（Ｓ１１６）。これにより、子機モードの第１，第３，第４携帯電話１１，１３，１４をデータサーバ１０に接続する必要がなくなるから、通信コストが確実に抑制される。
【００６９】
［第３実施形態］
図１３〜図１５に示す第３実施形態のドキュメント閲覧システム２０２は、第１〜第４携帯電話１１〜１４が全てインターネット１５を介してデータサーバ１０と通信を行う。なお、第１実施形態のものと同様の構成部材には同一の符号を付し、その詳細な説明を省略する。本実施形態では、第１携帯電話１１を、データサーバ１０と通信を行って変換部１８で変換するドキュメントデータを選択する選択通信モードとしての親機モードに設定し、第２〜第４携帯電話１２〜１４を、データサーバ１０と通信を行うノーマル通信モードとしての子機モードに設定する。
【００７０】
第１携帯電話１１は、上記第１実施形態と同様に、接続選択画面６０上で接続画像６２を選択すると、インターネット１５を介してデータサーバ１０に接続される。メニューキー２３を操作して、データサーバ１０内のドキュメントデータの中から閲覧するドキュメントデータ（エクセルデータ）を１つ選択すると、選択されたエクセルデータが第１画像データに変換され、この第１画像データがＬＣＤ２４に表示される。第１携帯電話１１は、親機モードに設定されると、子機モードとなる第２〜第４携帯電話１２〜１４と連携される。第１携帯電話１１が親機モードに設定されると、ＣＰＵ２６は、第１画像データの識別番号データを、データサーバ１０に送信する。
【００７１】
第２〜第４携帯電話１２〜１４が、上記第１実施形態と同様に子機モードに設定されると、ＣＰＵ３６，４６，５６は、データサーバ１０にインターネット１５を介して接続し、ＬＣＤ３４，４４，５４の設定解像度データをデータサーバ１０に送信する。
【００７２】
データサーバ１０の検索部１９は、ネット通信部２５でＬＣＤ３４，４４，５４の設定解像度データを受信したことに応答して、第１携帯電話１１から送信されネット通信部２５で受信した識別番号データを参照し、メモリ１７内のドキュメントデータの中から、同じ識別番号のドキュメントデータを検索する。変換部１８は、その検索したドキュメントデータを、ＬＣＤ３４，４４，５４で表示可能な形式の第１２〜第１４画像データにそれぞれ変換する。第１２〜第１４画像データは、圧縮部２０で圧縮されて、第１２〜第１４画像ファイルが作成される。第１２画像ファイルは第２携帯電話１２に、第１３画像ファイルは第３携帯電話１３に、第１４画像ファイルは第４携帯電話１４に、それぞれ送信され、各画像ファイル内の第１２〜第１４画像データは、ＬＣＤ３４，４４，５４に表示される。
【００７３】
次に、上記第３実施形態の作用について、図１４及び図１５のフローチャートを用いて説明を行う。先ず、親機モードに設定する第１携帯電話１１及びデータサーバ１０の作用について説明を行う。図１４に示すように、第１携帯電話１１の電源をオンした後、メニューキー２３を操作してモバイルネットビューアを起動させる（Ｓ２０１）と、ＬＣＤ２４に接続選択画面６０が表示される。以降、（Ｓ２０２）〜（Ｓ２１３）は、第１実施形態の（Ｓ２）〜（Ｓ１３）と同様なので、説明を省略する。
【００７４】
第１携帯電話１１が親機モードに設定される（Ｓ２１３）と、ＣＰＵ２６は、第１画像データＬＣＤ２４に表示するとともに、第１画像データの識別番号データを、データサーバ１０に送信する（Ｓ２１４）。モバイルネットモードを終了しないとき（Ｓ２１５でＮ）には、再度（Ｓ２０４）以降が行われる。
【００７５】
次に、子機モードに設定する第２〜第４携帯電話１２〜１４及びデータサーバ１０の作用について説明を行う。図１５に示すように、第２〜第４携帯電話１２〜１４は、メニューキー３３，４３，５３を操作してモバイルネットビューアを起動させ（Ｓ２２１）、接続選択画面６０上で非接続画像６３を選択すると（Ｓ２２２）、モバイルネットモードに移行する（Ｓ２２３）。以降、（Ｓ２２４）〜（Ｓ２２９）は、第１実施形態の（Ｓ２４）〜（Ｓ２９）と同様なので、説明を省略する。
【００７６】
第２〜第４携帯電話１２〜１４が子機モードに設定される（Ｓ２２９）と、ＣＰＵ３６，４６，５６は、データサーバ１０にインターネット１５を介して接続し、ＬＣＤ３４，４４，５４の設定解像度データをデータサーバ１０に送信する（Ｓ２３０）。
【００７７】
データサーバ１０の検索部１９は、ネット通信部２５でＬＣＤ３４，４４，５４の設定解像度データを受信したことに応答して、第１携帯電話１１から送信されネット通信部２５で受信した識別番号データを参照し、メモリ１７内のドキュメントデータの中から、同じ識別番号のドキュメントデータを検索する（Ｓ２３１）。変換部１８は、その検索したドキュメントデータを、ＬＣＤ３４，４４，５４で表示可能な形式の第１２〜第１４画像データにそれぞれ変換する（Ｓ２３２）。第１２〜第１４画像データは、圧縮部２０で圧縮されて、第１２〜第１４画像ファイルが作成される。第１２画像ファイルは第２携帯電話１２に、第１３画像ファイルは第３携帯電話１３に、第１４画像ファイルは第４携帯電話１４に、それぞれ送信され（Ｓ２３３）、各画像ファイル内の第１２〜第１４画像データは、各ＬＣＤ３４，４４，５４に表示される（Ｓ２３４）。これにより、第１〜第４携帯電話１１〜１４には、同一の画像が表示される。
【００７８】
モバイルネットモードを終了せず（Ｓ２３５でＮ）、親機モードの第１携帯電話１１で表示する画像の切り換えが行われたとき（Ｓ２３６でＹ）には、再度（Ｓ２３１）以降が行われる。
【００７９】
なお、上記実施形態では、ＬＣＤの設定解像度データをデータサーバに送り、変換部は、設定解像度データに基づいてドキュメントデータの変換を行っているが、携帯電話自体の固有情報（メーカー名、型番等）をデータサーバに送り、変換部は、固有情報に基づいてドキュメントデータの変換を行ってもよい。この場合、データサーバのメモリに、複数の固有情報に対応した複数の設定解像度データを記憶しておき、変換部は、固有情報に対応した設定解像度データを読み出し、この読み出した設定解像度データに基づいてドキュメントデータの変換を行う。
【００８０】
また、上記第１，第３実施形態では、第１携帯電話を親機モードに、第２〜第４携帯電話を子機モードに設定しているが、その親子関係は適宜変更可能であり、例えば、第４携帯電話を親機モードに設定し、第１〜第３携帯電話を子機モードに設定してもよい。この場合、第４携帯電話は、親機モードとして上記第１，第３実施形態の第１携帯電話と同様の制御を行い、第１〜第３携帯電話は、子機モードとして上記第１，第３実施形態の第２〜第４携帯電話と同様の制御を行う。また、携帯電話の数は、適宜変更可能である。
【００８１】
さらに、上記第１，第２実施形態では、Ｂｌｕｅｔｏｏｔｈ規格方式で通信を行う短距離通信部により他の携帯電話と通信を行っているが、各携帯電話に、短距離通信部に加えて赤外線通信部を設け、短距離通信部と赤外線通信部とのどちらで他の携帯電話と通信を行うかを選択するようにしてもよい。この場合、親機／子機設定画面に、短距離通信部と赤外線通信部とのどちらかを選択する選択画像を表示する。
【００８２】
また、上記第１，第３実施形態では、データサーバの検索部は、第１携帯電話から送信された識別番号データに基づいてドキュメントデータを検索しているが、第１携帯電話に送信する画像データの識別番号データを記憶しておき、第１携帯電話からの検索実行信号等を受信したことに応答して、検索部は、記憶した識別番号データに基づいてドキュメントデータを検索するようにしてもよい。
【符号の説明】
【００８３】
２，１０２，２０２  ドキュメント閲覧システム
１０  データサーバ
１１〜１４  第１〜第４携帯電話
１５  インターネット
１６  ネット通信部
１８  変換部
１９  検索部
２４，３４，４４，５４  ＬＣＤ
２６，３６，４６，５６  ＣＰＵ
【図１】
2011134104.tif 000003
【図２】
2011134104.tif 000004
【図３】
2011134104.tif 000005
【図４】
2011134104.tif 000006
【図５】
2011134104.tif 000007
【図６】
2011134104.tif 000008
【図７】
2011134104.tif 000009
【図８】
2011134104.tif 000010
【図９】
2011134104.tif 000011
【図１０】
2011134104.tif 000012
【図１１】
2011134104.tif 000013
【図１２】
2011134104.tif 000014
【図１３】
2011134104.tif 000015
【図１４】
2011134104.tif 000016
【図１５】
2011134104.tif 000017